(57)【要約】本発明は、バックシートと、単一シート又はウェブであって、使用中に着用者の皮膚と少なくとも部分的に接触できる第１トップシートとを有する使い捨て吸収性物品に関し、前記第１トップシートが、繊維が他の繊維と接着している接着区域と繊維が互いに非接着である非接着区域とを有する繊維性３次元ウェブであり、繊維は、典型的にはループの形体で、少なくとも１つの非接着区域から少なくとも２つの接着区域内まで伸び、接着区域が非接着区域の支持構造を形成し、非接着区域の表面積が、少なくとも２ｍｍ２であり、トップシートが０．１〜５ｍｍの厚さ（キャリパー）を有する。  好ましくは、第１トップシートを覆い、糞便を受けて、それを第１トップシートと第２トップシートとの間の空間まで通過させる大きい開口部を有する第２トップシートも存在する。
2006504498.tif 000002
【特許請求の範囲】
【請求項１】
バックシートと、使用中に着用者の皮膚と少なくとも部分的に接触できる第１トップシートとを有する使い捨て吸収性物品であって、前記第１トップシートが、幅、長さ、及び厚さ（キャリパー）の寸法を有する、繊維の３次元ウェブであり、前記ウェブが、前記繊維が他の繊維に接着した接着区域と前記繊維が互いに非接着である非接着区域とを有し、
前記繊維が、少なくとも１つの接着区域から少なくとも１つの非接着区域を通って少なくとも１つの他の接着区域まで伸び、前記接着区域が、前記非接着区域のための支持構造を形成し、前記非接着区域の表面積が少なくとも２ｍｍ２であり、前記トップシートが０．１〜５ｍｍの厚さ（キャリパー）を有する物品。
【請求項２】
前記トップシートが、８０％未満の、より好ましくは７０％未満の、更により好ましくは６０％未満の、又は更に５５％未満の、圧縮に対する抵抗力を有する請求項１に記載の物品。
【請求項３】
前記接着区域支持構造が平面を形成し、前記非接着区域における前記繊維の一部分が、前記接着区域支持構造の前記平面から１方向に伸びるループの形体であり、前記繊維の他の部分が、前記接着区域支持構造の前記平面から反対方向に伸びるループの形体である請求項１に記載の物品。
【請求項４】
１５％未満のＢＭ移動値、及び／又は少なくとも７５％のＢＭ把持値を有する請求項１又は２に記載の吸収性物品。
【請求項５】
前記非接着区域の表面積が２０ｍｍ２を超え、又は更に３０ｍｍ２を超え、又は更に４０ｍｍ２を超え、前記接着区域の前記幅の寸法が５ｍｍ未満、又は更に３ｍｍ未満、又は更に１ｍｍ未満である請求項１〜４のいずれか一項に記載の物品。
【請求項６】
前記第１トップシートが、その凸部表面積の少なくとも２５％に１ｍｍ２を超える、又は更に０．５ｍｍ２を超える孔がなく、又は、より好ましくは、前記トップシート全体に１ｍｍ２を超える、又は更に０．５ｍｍ２を超える孔がない単一繊維ウェブである請求項１〜５のいずれか一項に記載の吸収性物品。
【請求項７】
前記第１トップシートの身体に面する側の上に配置された第２トップシートを有し、前記第２トップシートが、その中に排泄物を受けるための主要空間への通路を提供する開口部を有し、前記空間が前記第２トップシートと前記第１トップシートとの間に配置され、前記第２トップシートが好ましくは伸縮性である請求項１〜６のいずれか一項に記載の吸収性物品。
【請求項８】
前記第２トップシートが、均一の孔径分布を有し、１００μｍ未満の、好ましくは５０μｍ未満の最大孔径を有する繊維性材料の少なくとも１枚のシートを含み、前記トップシートが、少なくとも３ダーシー／ｍｍ、より好ましくは少なくとも１０ダーシー／ｍｍ、又は更に少なくとも２０ダーシー／ｍｍの空気透過性を有し、前記トップシートが、少なくとも７．０、好ましくは９．０又は１０のアルコール反発性を有する請求項７に記載の吸収性物品。
【請求項９】
前記第１トップシートの長さ及び前記バックシートの長さがほぼ等しい請求項１〜８のいずれか一項に記載の吸収性物品。
【請求項１０】
前記第１トップシートが、前記トップシートの凸部表面積の少なくとも２５％において、より好ましくは前記トップシートの１００％において、３２．７ｋＰａ（０．３ｘ１０−２ｇ／ｃｍ２）未満のトップシート移動量を有する請求項１〜９のいずれか一項に記載の吸収性物品。
【請求項１１】
前記第１トップシートが、前記トップシートの凸部表面積の少なくとも２５％において、より好ましくは前記トップシートの１００％において、１６．３ｋＰａ（０．６ｘ１０−２ｇ／ｃｍ２）未満のトップシート通過透過性を有する請求項１〜１０のいずれか一項に記載の吸収性物品。
【請求項１２】
前記第１トップシートがカードウェブである請求項１〜１１のいずれか一項に記載の吸収性物品。
【発明の詳細な説明】
【技術分野】
【０００１】
本発明は、流れやすい排便の排泄物（以後、ＢＭと呼ぶ）を効果的に不動化する非接着のループ形繊維を有する特定の自己支持性繊維性トップシートを有する、おむつ、トレーニングパンツ、成人用失禁用品、女性用保護用品など、使い捨て吸収性物品に関する。
【背景技術】
【０００２】
最近の１０年で、ＢＭを受ける又は貯蔵するための空間に通じる開口部を有するトップシートに関する多くの研究が行われた。焦点は主に、例えばトップシートにおける開口部の周囲で伸縮性手段を使用することにより、着用者の体に接する、また着用者の肛門に近接する開口部の配置を改善することによって、おむつからの漏れを低減することであった。
【０００３】
発明者は、ＢＭの漏れ問題が、トップシートにおける開口部を通して受けられないＢＭによってのみ又はそれを主に起きるのでなく、漏れ問題の重要部分は、貯蔵空間から漏れ出すＢＭによって起きることを見出した。また、発明者は、そのようなおむつのＢＭの漏れ問題は、追加のトップシート（本明細書では第１トップシートと呼ぶ）が、開口部を有するトップシートの下に提供される時に低減でき、第２トップシートが、前記開口部を通って受けたＢＭを閉じ込めることを見出した。
【０００４】
近年、おむつの製造者は、おむつからのＢＭの漏れが低減できるように、ＢＭを不動化するか又は閉じ込めることができるそのようなおむつのトップシートに関する研究を行った。例えば、ＢＭ材料の粘性を変えるＢＭ変性剤をおむつに組み込むことが提案された。また、例えば、ＰＣＴ国際公開特許ＷＯ９９／５６６８０及びＥＰ−Ａ−１０５７４６４において、裏材から垂直に伸びて、ＢＭを閉じ込める繊維を有する固定部を上に有する裏材を含むトップシートの使用が提案された。ＰＣＴ国際公開特許ＷＯ９９／６２４４６及びＥＰ−Ａ−１１９０６９０は、そのような裏材に取り付けられ、ＢＭ材料を閉じ込めると言われるループ形の繊維を説明している。
【０００５】
これらの提案されたトップシート材は、典型的には、大量のＢＭを貯蔵するために大きい嵩（厚さ）を必要とし、例えば乳幼児が座っている時などの、一定の圧力下でＢＭを貯蔵することもできるように設計される。従って、提案されたトップシートは、典型的には厚く非常にでこぼこの材料であり、その結果、あまり快適ではない。更にその上、当該技術分野において提案されたトップシート材のいくつかは、例えば裏シートに繊維を固定するための複雑な工程を含み、製造が非常に複雑であるか又は困難である。故に、これらのタイプの材料をおむつに使用することは、あまり経済的ではない。
【発明の開示】
【発明が解決しようとする課題】
【０００６】
故に、ＢＭの良好な閉じ込めを提供するだけでなく、使用中に柔く快適である、ＢＭを閉じ込めるもう１つのトップシートを有するおむつの必要性がある。
【０００７】
そこで発明者は、上述のように、開口部を有する第２トップシートを有するおむつにおいて有効に使用できるそのようなもう１つのトップシートを有するおむつを見出した。トップシートは、大きい繊維が互いに接着している支持構造の区域と、繊維が非接着で、表面からループ形に伸び、ＢＭを閉じ込める広い区域（支持構造に貢献しない）とを有する。
【０００８】
支持構造としての裏張りシートが必要でないので、トップシートは、柔らかく、薄く、快適で、またより経済的である。このタイプのトップシートを有するおむつは、ＢＭ漏れがより少なく、着用者の皮膚へのＢＭの付着が少ないものの、非常に柔らかく快適であることが判明した。
【課題を解決するための手段】
【０００９】
本発明は、バックシートと、使用中に着用者の皮膚に少なくとも部分的に接触できる第１トップシートとを有する使い捨て吸収性物品に関し、前記第１トップシートは、幅、長さ、及び厚さの寸法を有する、繊維の３次元ウェブであり、前記ウェブは、繊維がもう１つの繊維と接着している接着区域と、繊維が互いに非接着である非接着区域とを有し、繊維が少なくとも１つの非接着区域から少なくとも２つの接着区域まで伸び、接着区域が非接着区域のための支持構造を形成し、非接着区域の表面積が少なくとも２ｍｍ２であり、トップシートが、本明細書で説明されるように、０．０９ｐｓｉ（６２０Ｐａ）の圧力で測定される時、０．１ｍｍ〜５ｍｍの厚さを有する。
【００１０】
典型的には、非接着区域における繊維の一部分は、前記支持構造の平面から１方向に伸びるループの形体であり、繊維の他の部分は、支持構造の平面から反対方向に伸びるループの形体である。
【００１１】
典型的には、第１トップシートは、単一シート又はウェブである。好ましくは、第１トップシートは、本明細書で説明されるようにカードウェブである。
【００１２】
好ましくは、使い捨ての着用可能な吸収性物品は、第１トップシートの身体に面する側を覆う、本明細書で説明されるようにＢＭを受けるための大きい開口部を有する第２トップシートを好ましくは有するおむつ又はトレーニングパンツである。
【発明を実施するための最良の形態】
【００１３】
本明細書で使用する時、次の用語は次の意味を有する：
「吸収性物品」という用語は、液体を吸収及び／又は収容する着用可能なデバイスを指し、より具体的には、着用者の体に接して又は近接して配置されて、体から排出される様々な排泄物を吸収し、収容するデバイスを指す。
【００１４】
「長手方向」は、物品の最長直線の長さ、典型的には長手方向軸線に平行に走る方向であり、長手方向の４５°以内の方向を含む。本明細書で使用する時、物品又はその構成要素の「長さ」は、一般に、物品又はその一部分の、最長直線の長さの寸法／距離、又は典型的には長手方向軸線の寸法／距離を指す。
【００１５】
「横」又は「横断」方向は、すなわち物品の大部分と長手方向軸線との同一平面において、長手方向に直交し、横断方向は横断方向軸線に平行である。本明細書で使用する時、物品又はその構成要素の「幅」は、その物品又は構成要素の長手方向に直交する、すなわち物品又はその構成要素の長さに直交する長さの寸法／距離を指し、典型的には物品又は構成要素の横断方向軸線に平行な長さの距離／寸法を指す。
【００１６】
「Ｚ方向」は、長手方向と横断方向の双方向に直行する。本明細書で使用する時、物品又はその構成要素の「厚さ」又は「キャリパー」は、ｚ方向の長さの寸法／距離を指す。キャリパーは、本明細書で説明されるように、０．０９（６２０Ｐａ）の圧力の適用下で決定される。
【００１７】
本明細書で使用する時、用語「空間」は、物品が少なくとも弛緩状態で存在する、糞便物質などの排泄物を受け入れて収容するようにサイズ決めされた空洞である。
【００１８】
本明細書で使用する時、「伸縮性」及び「伸縮性トップシート」は、その品目又はトップシートが、少なくとも長手方向に弾性である弾性材から作られた部分を少なくとも含むことを意味し、例えば、トップシートが全体として弾性材からなる（長手方向に弾性的に伸張性がある）、及び／又はトップシートが長手方向に弾性的に伸張性がある弾性バンド又はストランドを含有するという状況を含む。
【００１９】
本発明は、プルオンパンツ若しくはトレーニングパンツ、パンツ型おむつ、失禁用ブリーフ、失禁用下着、吸収性挿入物、おむつホルダー及びライナー、女性用衛生衣類、包帯などの吸収性物品に同様に適用可能であるが、本発明の吸収性物品の好ましい実施形態は、プルオンパンツ若しくはトレーニングパンツ又はおむつ、好ましくは次に示され、説明されるおむつである。故に、本発明は、（乳幼児用又は成人用）おむつに関して詳細に説明されるものの、この説明は、他の着用可能な使い捨て物品に同様に適用可能である。
【００２０】
本発明の使い捨てで着用可能な吸収性物品、例えば、おむつは、典型的には液体不透過性であるが、好ましくは通気性及びその上空気透過性又は湿気・蒸気透過性でさえあるバックシートを有する。バックシートとして好適であることが既知であるいかなる材料も、本明細書において使用できる。バックシート又はそのいかなる部分も、１又はそれ以上の方向において弾性的延伸性であってもよい。一実施形態では、バックシートは、構造的弾性様フィルム（「ＳＥＬＦ」）ウェブを含んでもよい。構造的に弾性様のフィルムウェブは、追加の弾性材料を使用することなく伸び方向に弾性様挙動を示す、延伸性材料である。ＳＥＬＦウェブは、隣接し、別個で、異なる少なくとも２区域を有するひずみ可能な網状組織を含む。本発明に好適なＳＥＬＦウェブが、米国特許第５，５１８，８０１号において更に完全に説明されている。
【００２１】
典型的には、第１トップシートの少なくとも一部分とバックシートとの間に好ましくは配置された吸収性コアも存在する。
【００２２】
好ましくは存在する吸収性コアは、粉砕木材パルプ、縮みセルロース詰め物；コフォームを含むメルトブロウンポリマー；化学的に剛化された、変成された、又は架橋されたセルロースファイバー；ティッシュラップ及びティッシュラミネートを含むティッシュ；吸収性フォーム；吸収性スポンジ；より好ましくは包含された（少なくとも）超吸収体（超吸収性ポリマー）；吸収性ゲル材料；又は他の既知の吸収性材料若しくは材料の組み合わせなど、ほぼ圧縮可能で、従順な、着用者の皮膚に刺激のない、また尿などの液体及び他の体の排出物を吸収及び保有できるいかなる吸収性材料を含んでもよい。吸収性コアとして使用するための代表的な吸収性構造体は、米国特許第４，６１０，６７８号、米国特許第４，６７３，４０２号、米国特許第４，８３４，７３５号、米国特許第４，８８８，２３１号、米国特許第５，１３７，５３７号、米国特許第５，１４７号、米国特許第５，２６０，３４５号、米国特許第５，３８７，２０７号、及び米国特許第５，６２５，２２２号に説明されている。
【００２３】
本発明の物品、例えばおむつは、サイドパネル、及び／又はより好ましくは液体及び他の排泄物の閉じ込めを改善する１又はそれ以上のレッグカフを有してもよい。レッグカフは、レッグバンド、サイドフラップ、バリアカフ、又は弾性カフとも呼ぶことができ、米国特許第３，８６０，００３号、米国特許第４，８０８，１７８号及び第４，９０９号、米国特許第４，６９５，２７８号及び第４，７９５，４５４号に説明されている。
【００２４】
おむつは、典型的には、第１又は前側腰部区域、第１腰部区域の反対側の第２又は後側腰部区域、及び第１腰部区域と第２腰部区域との間に位置する股部区域を有する。股部区域は、典型的には、着用時に着用者の脚の間にあるおむつの部分である。おむつの腰部区域は、着用時に典型的には着用者の腰部に寄り集まり又はこれを取り囲み、着用者が立っている、直立の姿勢である時、一般的には物品のほぼ最高の位置にある。腰部区域又は好ましくはウエストバンドは、典型的には、おむつの力線を含む。
【００２５】
典型的には、おむつの腰部区域は、ウエストバンドであるか又はウエストバンドを形成する部分を有する。おむつの１つのタイプでは、ウエストバンドは、使用前は開いており、着用者の腰部の周囲での締着が必要である。それに対して、おむつは、典型的には腰部区域又はバンドに接合される締着装置を有するのが好ましい。締着装置は、好ましくは、第１腰部区域及び第２腰部区域を接触する又は重なり合う形態で維持し、おむつのほぼ周囲に横方向の張力又は力線を提供して、おむつを着用者の上で保持する。締着装置は、好ましくは、テープタブ及び／又はフックアンドループ締着タブを含むが、他のいかなる既知の締着手段もほぼ許容できる。いくつかの代表的な締着装置が、米国特許第３，８４８，５９４号、米国特許第４，６６２，８７５号、米国特許第４，８４６，８１５号、米国特許第４，８９４，０６０号、米国特許第４，９４６，５２７号、米国特許第５，１５１，０９２号、米国特許第５，２２１，２７４号、及び米国特許第４，９６３，１４０号に開示されている。
【００２６】
他の一実施形態では、物品は、トレーニングパンツなど、プルオンタイプのおむつとして使用できる。その時、典型的には、前側腰部部分又はウエストバンドと、後側腰部部分又はウエストバンドが、第１接続領域及び第２接続領域によって使用前に（取り外し不可能に）接続されるように、衣類の対向する側面が継ぎ合わされるか又は継ぎ目なしに接合されて、パンツを形成してもよい。
【００２７】
腰部区域は、弾性腰部機構を含んでもよい。そのような弾性腰部機構は、米国特許第４，５１５，５９５号、米国特許第５，１５１，０９２号において説明されるものを含む多くの異なる形体で構成されてもよい。
【００２８】
バックシートは、第１トップシート、吸収性コア、又はおむつの他のいかなる要素にも、当該技術分野において既知の取り付け手段により接合又は結合できる。取り付け手段は、例えば米国特許第４，５７３，９８６号に開示されているような、接着剤の均一な連続層、接着剤の模様付きの層、又は接着剤の別個の線、螺旋、若しくは点の配列を含んでもよい。満足のいくものであることが判明した接着剤は、ミネソタ州セントポールのＨ．Ｂ．フラー社（H.B.Fuller Company）によって製造され、ＨＬ−１６２０及びＨＬ−１３５８−ＸＺＰとして市販されている。あるいは、取り付け手段は、熱接着、圧力接着、超音波接着、動的機械的接着、又は当該技術分野で既知の他のいかなる好適な取り付け手段若しくはこれらの取り付け手段の組み合わせをも含むことができる。
【００２９】
好ましくは伸縮性レッグカフ（存在する時）上に、及び／又は特に本明細書で説明されるように開口部の縁部が伸縮性である時、本明細書で次に説明されるように第２トップシートの開口部の周囲に、物品、例えばおむつが、着用者の皮膚用局所用薬剤を含むことが好ましいことがある。好ましい薬剤には、当該技術分野においてほぼ既知であるような、粉末、タルク、ローション、ワックスが挙げられる。着用者の皮膚の、弾性体による圧力の痕跡を低減するために、トップシートにおける開口部周囲の弾性体に、そのような薬剤、特にタルク又はワックスを塗布するのが非常に有用であることが判明した。
【００３０】
物品は、使用中におむつ、又は第１若しくは第２トップシート、又は開口部を更に適所に保持するように作用する局所用接着剤又は体用接着組成物も含んでもよい。好ましい一実施形態では、局所用接着剤は、開口部の縁部に沿った伸縮性区域上に存在する。好適な体用接着剤は、当該技術分野で既知である。
【００３１】
（第１トップシート）
本発明の物品の第１トップシートは、繊維が接着している区域と繊維が非接着である区域、いわゆる接着区域及び非接着区域各々を有する少なくとも繊維ウェブ（シート）から作成される。
【００３２】
繊維は、１つの接着区域から非接着区域を通ってもう１つの接着区域まで伸び、典型的には、繊維は１つの接着区域から次の接着区域までループを形成する。
【００３３】
接着区域は、非接着区域の支持構造を形成するようなものであるので、裏の支持層は必要でない。故に、トップシートは、単一の一体シート又はウェブであり得る。
【００３４】
好ましくは、同じ接着区域から次の同じ接着区域まで伸びる繊維は、他の繊維にほぼ平行である。
【００３５】
好ましくは、接着区域は１平面にあって、例えば平面的支持構造を形成し、繊維は、接着区域支持構造によって形成された平面から、好ましくはループの形体で上向き及び下向きに伸びる。
【００３６】
接着区域は、非接着区域のための前記支持構造が作られるならば、いかなる形体であってもよい。例えば、接着区域は、点、正方形、長方形、円形、三角形、又は線の形体であってもよい。多くの接着区域は、非接続の点の線、正方形、線、又はストリップなどを共に形成するようなものであってもよい。最後のものの場合、接着区域は、充分な接着が達成されて、非接着区域に支持構造を提供するのを共に確実にするのに充分に接近しているべきである。
【００３７】
非接着区域は、例えば、円形又は丸い、正方形、長方形、三角形、ダイヤモンド形、又は六角形、及び／又は楕円形であってもよい。
【００３８】
本明細書において使用される時、接着区域の表面積は、非接着区域内の最大凸部表面積であり、これは、少なくとも２ｍｍ２、好ましくは少なくとも５ｍｍ２、又は更に少なくとも１０ｍｍ２、又は更に少なくとも２０ｍｍ２、又は更に少なくとも２５ｍｍ２、又は更に少なくとも３０ｍｍ２、及び典型的には２００ｍｍ２まで、又は更に１００ｍｍ２だけまでである。
【００３９】
接着区域は一定の幅を有し、それは、本明細書で使用される時、トップシートの平面又は接着区域支持構造が形成する平面における、接着区域の２つの対向する側の間の最短距離である（すなわち、故に、接着区域の厚さではない）。典型的には、この幅は、３ｍｍ未満、又は更に２ｍｍ未満、又は更に１ｍｍ未満、又は更に０．８ｍｍ未満、又は更に０．５ｍｍ未満である。
【００４０】
非接着区域の全表面積と接着区域の全表面積との割合は、好ましくは、２０：１まで、又は更に１５：１まで、又は更に１０：１まで、又は更に８：１までであるが、好ましくは２：１を超える、又は更に３：１を超える、又は更に４：１を超える。
【００４１】
好ましくは、接着区域は、線の形体であり、好ましくは各接着区域（線）は、少なくとも１つの他の接着区域（線）と交差している。好ましくは、接着区域は長手方向及び横断方向の双方向に配置され、図４ａに見られるように、各方向において好ましくは互いに平行である。
【００４２】
第１トップシートは、本明細書で次に説明されるように、０．０９ｐｓｉ（６２０Ｐａ）の圧力で測定される時、０．１〜５ｍｍの、好ましくは０．２ｍｍ〜３ｍｍの、又は更に０．２５ｍｍ〜２ｍｍの、又は更に１ｍｍまでのキャリパー又は厚さを有する。本明細書で使用される時、キャリパーは、例えば、本明細書において説明される方法によって得られる異なる３試料の３つの最大値の平均として測定される、トップシートの最大キャリパーである。換言すれば、トップシートのキャリパーは、これを接着区域で測定するか、又は非接着区域で測定するかによって変化するが、本明細書において使用される時、キャリパーは常に、非接着区域におけるトップシートの最大キャリパーである。
【００４３】
第１トップシートは、いかなる坪量を有してもよいが、好ましくは、これは、約１０〜４５ｇ／ｍ２、又は更に２０〜４０ｇ／ｍ２、又は更に３０〜３５ｇ／ｍ２である。
【００４４】
トップシートは、例えば、０．０５〜０．６ｇ／ｃｍ３の、又は更に０．１〜０．４ｇ／ｃｍ３の、又は更にわずか０．３ｇ／ｃｍ３までの、又は更にわずか０．２ｇ／ｃｍ３までの容積密度を有するのが好ましいことがある。
【００４５】
トップシートは、０．６〜０．９５の、好ましくは０．７〜０．９の、又は更に０．８〜０．９の多孔性；及び／又は好ましくは５〜１０ｃｍ３／ｇの、又は更に６〜９ｃｍ３／ｇの、又は更に７〜８ｃｍ３／ｇの空間容積を有するのが好ましいことがある。
【００４６】
非常に好ましい第１トップシートは、約０．２５〜０．２９の、好ましくは約０．２７ｍｍのキャリパーと、約４０〜６０％の、好ましくは約５５％の圧縮抵抗力と、約２８〜３４ｇ／ｍ２の、好ましくは約３２ｇ／ｍ２の坪量とを有し、約２２ｍｍ２〜３０ｍｍ２の、好ましくは約２５ｍｍ２の非接着区域と、交差する線の形の０．７ｍｍ〜１．１ｍｍの、好ましくは０．９ｍｍの最大幅を有する接着区域とを好ましくは有するウェブを含む又は同ウェブからなる。非常に好ましいトップシートは、商品名：ＶＰ３００１／１１−３２ｇｓｍでサンドラー社（Sandler）から入手可能である。
【００４７】
本発明の物品の第１トップシートは、典型的には、８０％未満の、より好ましくは７０％未満の、更により好ましくは６０％未満の、又は更に５５％未満の圧縮への抵抗力（１ｐｓｉ、すなわち、約６．９ｘ１０３Ｐａの圧力下で）を有するが、圧縮への抵抗力は、本明細書で説明される方法によって決定されるように、１０％を超えることが好ましいことがある。
【００４８】
これは、８５％を充分に超える圧縮への抵抗力を有し、圧力下でもＢＭを貯蔵するための容積を保有するように設計され、典型的には着用者の皮膚によりでこぼこである、上記で引用した先行技術において説明した材料と対照的である。故に、第１トップシートは、好ましくは、米国特許第５９４１８６４号に説明された方法によって決定できるように、トップシートの凸部の面積の少なくとも２５％において、より好ましくはトップシートの面積の１００％において、３．３ｋＰａ（３ｘ１０−２ｇ／ｃｍ２（０．２ｇ／インチ２））未満のトップシート移動量も有する。
【００４９】
これは、第１トップシートが非常に柔らかく着用者に快適であることを更に確実にする。驚くべきことに、本発明の物品の第１トップシート材は、典型的には低い圧縮抵抗力及び典型的には低いトップシート移動量を有するが、ＢＭの優れた閉じ込めを提供する。
【００５０】
好ましくは、第１トップシートはその表面（の一部）に大きい孔を有さない。これは、下にある材料、典型的にはその中の吸収性コア及び超吸収性又は吸収性ゲル材料が、そのような孔を通して着用者の皮膚と直接接触できないことを確実にするのにも役立つことがある。故に、第１トップシートは、好ましくは、その凸部表面積の２５％において、１ｍｍ２を超える、又は更に０．５ｍｍ２を超える孔を有さないか、又は好ましくはその凸部表面積におけるどこにもそのような孔を有さない。故に、米国特許第５３４２３３８号において説明されるような当該技術分野において既知の孔あきトップシートと違い、本発明の物品の第１トップシートは、米国特許第５３４２３３８号において説明される方法によって測定されるように、１．６ｋＰａ（６ｘ１０−２ｇ／ｃｍ２又は０．４ｇ／インチ２未満）（すなわち、トップシートの面積の少なくとも２５％において、またより好ましくはトップシートの面積の１００％において）未満のＢＭのトップシート通過透過性を有する。
【００５１】
本明細書において説明されるように、トップシートは、好ましくは空気透過性である。
【００５２】
第１トップシートは、ＢＭ、特に流れやすい粘液性のＢＭを有効に閉じ込める又は把持するようなものである。
【００５３】
一方では、好ましい第１トップシートは、第１トップシートから着用者の皮膚まで戻るＢＭの非常に少ない量（割合）を表す、非常に低いＢＭ移動値を特徴とすることができる。他方では、前記好ましい第１トップシートは、ユーザが使用中に動く時、例えば、摩擦がおむつに働く時、おむつの中又は上に残るＢＭの量（割合）を表す、高いＢＭ把持値を特徴とすることができる。
【００５４】
故に、第１トップシートは、好ましくは、１５％未満の、好ましくは１２％未満の、又は更に１０％未満のＢＭ移動値を有する。
【００５５】
更にその上、第１トップシートは、好ましくは、少なくとも７０％の、より好ましくは少なくとも７５％の、又は更に少なくとも８０％の、又は更に少なくとも８５％のＢＭ把持値を有する。
【００５６】
ＢＭ移動値及びＢＭ把持値を得る方法が、次に説明される。
【００５７】
第１トップシートは、好ましくはカードウェブである。カードウェブを作成するための当該技術分野におけるいかなる方法が、本発明の物品の第１トップシートを作成するために、再度適用されてもよい。
【００５８】
好ましい第１トップシートのウェブを作成するために使用される繊維は、典型的には、３０〜１００ｍｍの、又は更に７０ｍｍまでの、より好ましくは３５ｍｍ〜５５ｍｍの長さを有する。好ましい繊維は、ポリエステル、ビスコース、又はより好ましくは、ポリプロピレン及び／又はポリエチレン、又はそのコポリマーから作成される。繊維は好ましくは親水性である。繊維デシテックスは、好ましくは１．２〜１５、又はより好ましくは１．５〜６である。
【００５９】
カレンダーのデザインは、接着区域の表面積と非接着区域の表面積との割合、接着区域及び非接着区域の寸法及び数を含む、接着区域及び非接着区域の全体的パターンによって画定される。好ましいパターン又はカレンダーのデザインは、幾何学的図形を形成することによって、接着区域間の距離を最大化する。カレンダーのデザインは、上述のように、円形、三角形、正方形、四角形、ダイヤモンド形などの幾何学的図形から作成できる。
【００６０】
非接着区域のキャリパーを最適化するために、接着区域の一定の厚さも見込んでおくのが有益なことがあり；故に、好ましくは、接着区域は非接着区域のキャリパーの１０％〜６０％又は更に２０％〜４０％であるキャリパーを有する。
【００６１】
接着区域を形成するための繊維の接着は、いかなる方法によって行われてもよい。好ましくは、これは繊維を熱結合することによって行われ、別の方法では、これは、熱結合技術が使用される時より厚いキャリパーを有する非接着区域を得るのに有益なことがある超音波結合によって行われてもよい。
【００６２】
（第２トップシート）
本発明の物品は、好ましくは第２トップシートも含む。これは、好ましくは、第１トップシートの着用者に面する側の上に配置されるトップシートであり、第２トップシートは、使用中に着用者の皮膚に最も近い。第２トップシートは、ＢＭがそれを通って第１トップシートまで通過できるようなものである。
【００６３】
好ましいのは、その凸部表面積の少なくとも２５％が、１ｍｍ２を超える、又は更に２ｍｍ２を超える、又は更に４ｃｍ２を超える孔を有する、より好ましくは、その全表面積がそのような孔を有する、上述のような及び米国特許第５３４２３３８号において説明されるような孔あきトップシートであってもよい。
【００６４】
更により好ましくは、第２トップシートは、第２トップシートの下の、例えば、第２トップシートと第１トップシートとの間の空間まで、ＢＭを通過させる１又はそれ以上の大きい開口部を有するトップシートである。好ましくは、１つのそのような開口部が存在する。そのような好ましいトップシートが、例えば、ＥＰ−Ａ−１２０１２１２及び同時係属出願ＥＰ０１１１７６６９．０に説明されている。
【００６５】
好ましい第２トップシートは、空気透過性である。これは、ユーザへの快適な着用を確実にするのに重要であり、また皮膚症状の危険性を低減するのに役立つことがある。トップシートは、典型的には、少なくとも１０ダーシー／ｍｍであるが、より好ましくは少なくとも２０ダーシー／ｍｍ、又は更に少なくとも３０ダーシー／ｍｍ、又は更に少なくとも３５ダーシー／ｍｍの空気透過性を有する。これは、例えば、次に記述する方法によって決定される。
【００６６】
第２トップシートは、好ましくは、それを通して受けた、第１トップシート上に存在するＢＭの有効な遮蔽を提供し、更に、「裏漏れ」、すなわち、空間において受けたＢＭから第２トップシート又は着用者の皮膚への漏れを低減するために、特定のアルコール反発値によって反映される非常に低い表面エネルギーと、均一な多孔性とを有する。
【００６７】
故に、第２トップシートは、好ましくは、少なくとも７．０の、好ましくは少なくとも８．０の、より好ましくは少なくとも９．０のアルコール反発値を有し、最も好ましくは、同トップシートは１０のアルコール反発値を有する。
【００６８】
第２トップシートは、好ましくは、第２トップシートの表面エネルギーを低下し、その結果、必要な遮蔽を提供するのに役立ち、本明細書において遮蔽促進剤と呼ばれる化学物質で、少なくとも部分的に処理される。
【００６９】
低い表面エネルギー、すなわち、高いアルコール反発性を有する第２トップシートを得るために、遮蔽促進剤を塗布するいかなる方法を使用してもよい。遮蔽促進剤を塗布する方法は、好ましくは、薬剤の非常に薄いコーティングがトップシート又はその一部分に置かれるようなものであって、空気透過性及び多孔性がほぼ変わらないようなものであるべきである。好ましいのは、遮蔽促進剤を繊維ウェブに局所的に塗布するか、又は融解状態の遮蔽促進剤を、第２トップシートを作成するために使用される化合物、例えば、トップシートのウェブを形成する前の繊維に添加することである。故に、例えば、第２トップシートが繊維混合物から作成された不織布材である場合、この繊維混合物は、生じる不織布に高いアルコール反発性及び低い表面エネルギーを提供する融解状態の遮蔽促進剤を含んでもよい。１又はそれ以上の融解した遮蔽促進剤の使用は、上述のように、１又はそれ以上の遮蔽促進剤での局所的な処置と組み合わせてもよい。
【００７０】
有用な促進剤には、米国特許第５，８７６，７５３号（チモンズ（Timmons）ら、１９９９年３月２日発行）、米国特許第５，８８８，５９１号（グリーセン（Gleason）ら、１９９９年３月３０日発行）、米国特許第６，０４５，８７７号（グリーセン（Gleason）ら、２０００年４月４日発行）に記載されるフルオロカーボン類が挙げられる。他の促進剤には、シリコーンが挙げられる。空気透過性を低減することなく、促進剤を第２トップシートに塗布するための有用な方法が、米国特許第５，３２２，７２９号及びＰＣＴ国際公開特許ＷＯ９６／０３５０１に見出せる。
【００７１】
好ましい促進剤は、ヘキサフルオロエチレン、ヘキサフルオロプロピレンと、ビニルフッ化物及びビニリデンフッ化物と、フルオロアクリル酸塩及びフルオロメタクリル酸塩とを含む、好ましくはフッ素化モノマー類及びフッ素化ポリマー類を含む、フルオロカーボン類、シロキサン類、ポリシロキサン類を含む群から選択されてもよい。非常に好ましいのは、ポリ（テトラ）フルオロエチレンの、フッ素化エチレン−プロピレンコポリマーの、及び／又はフッ素化エチレン−テトラフルオロエチレンコポリマーの遮蔽促進剤を有するトップシートが提供されることである。
【００７２】
遮蔽促進剤は、好ましくは、ポリオレフィン類、ポリエステル類、ポリウレタン類、及びポリアミド類を含む群から選択される、熱可塑性ポリマー繊維を含む、最も好ましくは熱可塑性ポリマーがポリオレフィンである、最も好ましくはポリプロピレン又はポリエチレンである繊維性不織布ウェブに、最も有効に塗布される。
【００７３】
高いアルコール反発性に加えて、第２トップシートは、好ましくは、小さい孔の均一孔径の分布も有する、すなわち、同トップシートは、１００μｍ未満の、好ましくは７５μｍ未満の、より好ましくは５０μｍ未満の、最も好ましくは２５μｍ未満の最大孔径を有する孔を有する。これは、次に記述される方法によって決定できる。
【００７４】
第２トップシートの孔は、好ましくは、平均孔径が２０μｍ未満、好ましくは１７μｍ未満、より好ましくは１３μｍ未満、及び最も好ましくは１０μｍ未満であるようなものでもある。
【００７５】
高いアルコール反発性及び小さい孔の均一分布を有する、本発明の物品の第２トップシートも、流れやすいＢＭによる皮膚の汚染を低減するのに役立つ。これは、本明細書において記述されるように、ＢＭ再湿潤方法を特徴とすることができる。
【００７６】
本明細書における同トップシートは、好ましくは、１層がメルトブロウン（Ｍ）層であり、もう１層がスパンボンド（Ｓ）層又はカード（Ｃ）層のどちらかである少なくとも２層を含む。
【００７７】
好ましい手法は、好ましくは１つのウェブが遮蔽促進剤で処理された、ＳＭ、ＳＭＳ、ＳＭＭＳ、ＳＳＭＳ、ＳＳＭＳＳ、ＳＳＭＭＳ、ＣＭ、又はＣＭＣの不織布積層体である。
【００７８】
内側ウェブ（物品のバックシートに面する）及び／又は中間ウェブは、同トップシート（の内側表面）が、本明細書において画定されるように、低い表面エネルギーを有するようなものである積層体が好ましい。例えば、同トップシートがＳＭＳ積層体を含み、少なくともメルトブロウンウェブが、同トップシートの内側表面（及び好ましくは外側表面も）に低い表面エネルギーを提供するように処理されるのが非常に好ましい。
【００７９】
好ましくは、カードウェブ及び不織布ウェブは、ポリエチレン、ポリプロピレン、及び／又はポリブチレンポリマー繊維、又はポリエチレンコポリマー、ポリプロピレンコポリマー、及び／又はポリブチレンコポリマーの繊維（の混合物）；最も好ましくはポリプロピレンポリマー繊維から形成される。
【００８０】
本発明の一実施形態では、第２トップシートのＢＭ再湿潤も、４．５ｇ未満、好ましくは３．５ｇ未満、より好ましくは２．５ｇ未満、及び最も好ましくは１．５ｇ未満である。
【００８１】
第２トップシートは、好ましくは非常に薄く、柔らかく、及び従順であり；好ましくは非常に低い坪量、好ましくは３５ｇ／ｍ２未満、又は更に２５ｇ／ｍ２未満、又は更に１５ｇ／ｍ２未満を有する。同シートは、好ましくは０．２ｍｍ未満の、又は更に０．１５ｍｍ未満の、又は更に０．１ｍｍ未満のキャリパー又は厚さを有する。
【００８２】
本明細書における第２トップシートとして使用される好ましい材料は、例えば、３２μｍの最大孔径（孔径）、３４ダーシー／ｍｍの空気透過性、１０のアルコール反発性、及び２．８の再湿潤を有する、例えば、ぺガフォブ（Pegaphob）０２  ４４５  ０３２の名称でぺガス社（Pegas）から入手可能である、ディポリット（Dipolit）で処理した３４ｇｓｍのＳＭＳポリプロピレン不織布積層体；５７μｍの最大孔径、５２ダーシー／ｍｍの空気透過性、１０のアルコール反発性、及び２．９の再湿潤を有する、例えば、ぺガフォブ（Pegaphob）０２  ４４５  ０２４の名称でぺガス社（Pegas）から入手可能である、ディポリット（Dipolit）で処理した２４ｇｓｍのＳＳＭＭＳＳポリプロピレン不織布積層体；４８μｍの最大孔径、４２ダーシー／ｍｍの空気透過性、１０のアルコール反発性、及び３．０の再湿潤を有する、例えば、ぺガフォブ（Pegaphob）０２  ４４５  ０３２の名称でぺガス社（Pegas）から入手可能である、ディポリット（Dipolit）で処理された３４ｇｓｍのＳＳＭＭＳポリプロピレン不織布積層体；２２μｍの最大孔径、４８ダーシー／ｍｍの空気透過性、９のアルコール反発性、及び１．７の再湿潤を有する、コードＶＰ２１／００／７５でサンドラー社（Sandler）から入手可能な２０ｇｓｍのウェブ；３６μｍの最大孔径、９５ダーシー／ｍｍの空気透過性、１０のアルコール反発性、及び２．１の再湿潤を有する、コードＶＰ２１／００／７６でサンドラー社（Sandler）から入手可能である１０ｇｓｍウェブ；２３μｍの最大孔径、３５ダーシー／ｍｍの空気透過性、１０のアルコール反発性、及び１．１の再湿潤を有する、コードＶＰ２１／００／７６でサンドラー社（Sandler）から入手可能な２０ｇｓｍのウェブであり、最後のものが最も好ましい。
【００８３】
第２トップシートは、ＢＭを通して受けるために、典型的には１つ又は２つであるが、好ましくは１つの開口部を有する。好ましい第２トップシートのそのような開口部の寸法は、例えば、トップシート及び／又は物品の寸法次第で変化してもよい。開口部は同トップシートの全長にわたって伸びてもよい。好ましくは、特にサイズ４のおむつに関して、例えば弛緩状態での開口部の長さは、好ましくは、５〜３０ｃｍ、又は更に１０〜２５ｃｍ、又は更に１２〜２０ｃｍであってもよい。例えば弛緩状態での、そのような物品の開口部の幅は、好ましくは２〜１０ｃｍ、より好ましくは３〜８ｃｍである。
【００８４】
拡張状態では、開口部の長さは、好ましくは２０〜３５ｃｍであってもよく、幅は、好ましくは３〜６ｃｍであってもよい。
【００８５】
第２トップシートは、好ましくは弾性区域の末端部分が腰部区域に接合又は結合できるように、開口部から第１（前側）腰部区域及び第２（後側）腰部区域に向かって伸びる、前記開口部の２つの長手方向縁部に沿って好ましくは配置される（その結果、各縁部が少なくとも１つの伸縮性区域を有する）伸縮性区域を好ましくは有する。故に、伸縮性区域は、好ましくは、弛緩状態及び拡張状態の両方において開口部より長い。好ましくは、弾性区域は第２トップシートの全長にわたって配置される。弾性区域の長さは、典型的には、第２トップシート及び／又は物品の寸法による。例えばサイズ４のおむつでは、弛緩状態の弾性区域の長さは、１０〜４０ｃｍ、又は更に１５〜３５であってもよい一方、拡張状態では、好ましくは２５〜６０、又は更に３０〜４５、又は更に３５〜４０ｃｍであってもよい。
【００８６】
弾性区域は、ほぼ平行な２又はそれ以上の伸縮性領域の形体であってもよく、好ましくは、伸縮性区域の中間部分が互いにほぼ平行である一方、末端部分が（少なくとも弛緩状態で）互いから離れて曲がり（第２トップシートの平面において）、その結果、弾性区域の末端部分間の距離が、同区域の中間部分間の距離より長いように、伸縮性区域が形成される。次に、伸縮性区域の末端部分は、典型的にはそれぞれ、開口部の長手方向軸線とある角度をなし、好ましくは、各角度は２０°〜３０°であって、好ましくは、末端部分間の角度はそのほぼ２倍、例えば４０°〜６０°である。これは、本明細書においてＸ形と呼ばれる。開口部の各長手方向縁部に沿った弾性区域間の好ましい最長距離は、弾性区域間の最短距離の少なくとも１５０％である。
【００８７】
好ましくは、弛緩状態で、弾性区域又はその一部分は、弾性区域が（も）第２トップシートの平面からはずれて曲がり、空間から離れて上向きに（第２トップシートの下で）曲がるように、隣接する第２トップシートとある角度をなす。
【００８８】
好ましい第２トップシート、及び本発明のおむつを作成するために再度適用できる方法が、例えば、ＥＰ−Ａ−１２０１２１２に記載されている。
【００８９】
（本明細書において言及される試験方法）
（キャリパー（厚さ）及び圧縮抵抗力）
これは、本発明の物品の第１トップシートのキャリパー及び圧縮抵抗力を測定する試験である。
【００９０】
本明細書で言及されるキャリパーは、例えば、大きいトップシートから、例えば、各々が約１５ｃｍ２（１．５ｘ１．５平方インチ）の第１トップシートの３試料を打ち抜いて、それを取ることにより測定される。次に、別個の３つの実験において、各試料の最大キャリパーを測定し、平均値を得、圧縮後のキャリパーを測定して平均化する。
【００９１】
各実験において、試料が１箇所に固定され、次に、試料に特定の力が加えられ、デジタルはさみ尺でキャリパーを測定する。試料のキャリパーの測定は、常に試料の同一箇所で行われる。
【００９２】
最初に、試料に０．０９ｐｓｉ（６２０Ｐａ）の圧力を加え、一定の箇所における最大キャリパーを測定することによって、第１トップシートの（最大）キャリパーが得られる。
【００９３】
次に、試料への圧力を、１．０ｐｓｉ（６．９ｘ１０３Ｐａ）まで増大し、３０秒後に同一箇所で再度キャリパーを測定する；これが圧縮したキャリパーである。
【００９４】
材料の他の２つの試料について、これが同様に繰り返され、合計３回繰り返される。次に、０．０９ｐｓｉ（６２０Ｐａ）での最大キャリパーの、得られた３つの値の平均値を計算し、これが、本明細書で言及される、０．１ｍｍ〜５ｍｍであるトップシートのキャリパー（Ｃ）である。
【００９５】
同様に、圧縮した（最大）キャリパーの平均値を計算し、これが、キャリパー（Ｃｐ）である。
【００９６】
次に、圧縮抵抗力の割合を計算する：
Ｃｐ／Ｃｘ１００
故に、例えば、０．５ｍｍのキャリパー（０．０９ｐｓｉ（６２０Ｐａ）で測定した平均最大値）と、０．２５ｍｍの圧縮したキャリパー（１．０ｐｓｉ；６．９ｘ１０３Ｐａで測定した平均最大値）とを有するトップシート材は、５０％の圧縮抵抗力を有する。
【００９７】
（第１トップシートのＢＭ移動値及び把持値）
第１トップシートのＢＭ移動値及びＢＭ把持値は、次のように決定できる。
【００９８】
吸収性物品、例えばおむつは、平坦な表面に平たく配置され；物品が伸縮性である場合、充分に拡張した状態で平たく配置される。
【００９９】
最初に、０．９％の食塩水溶液１００ｍＬが、物品の中央部分において約５ｍＬ／秒の流速で添加され、次に、物品を計量する。
【０１００】
次に、最後の尿の滴が物品に加えられた５分後に（尿の分配を可能にするために）、１０ｇのＢＭ類似体７Ａ（組成物及び調製について、次を参照すること）が、横断方向中心線と、使用中に着用者の背中にある縁部、例えば後側腰部バンドの外側縁部との間の中間に、９ｃｍ２のほぼ正方形のパッチで添加される。
【０１０１】
１片のコラーゲンを計量する（コラーゲンは：ナチュリン（Naturin）ＧｍｂＨ社（ドイツ、Weinheim）から入手可能であるコラーゲンフォリエ・ナチュル（Kollagenfolie Natur）；物品Ｎｏ．７０６；ｃａｌ．５７０／０，９０ｍである）。これは、皮膚代替物として使用される。この片は、総質量２ｋｇ、直径９．０ｃｍ、及び長さ２５ｃｍを有するロールの周囲に配置されるのに充分大きい必要がある。
【０１０２】
ロールを、ＢＭ搭載領域の中央に配置し、各面に対して３回、回転させる。回転は、ロールに（重力以外の）追加的な圧力が加えられないように行われ；これは、典型的には、ＢＭの上でロールをプッシュロール（押し回転）することによって達成される。
【０１０３】
次に、物品からロールが取り除かれ、ロールからコラーゲンが取り除かれる。
【０１０４】
１）移動したＢＭを有するコラーゲンを、再度計量する。コラーゲンに移動したＢＭの割合を計算する。これが、第１トップシートのＢＭ移動値である。
【０１０５】
２）水平に配置されたスクレーパーのブレードが、正確に、平坦な表面の上の、残りのＢＭを有する物品の高さで配置される。スクレーパーのブレードは、物品の表面の上で動かされ、その結果、第１トップシートによって把持されないいかなるＢＭも取り除く。
【０１０６】
残りの把持されたＢＭを有する物品を計量し、残りの把持されたＢＭの割合を計算する（最初の１０ｇＢＭが１００％である）。
【０１０７】
例えば、１．０ｇのＢＭがコラーゲンに存在する場合（コラーゲンの増加重量は１ｇである）、ＢＭ移動値は、１／１０ｘ１００％＝１０％である。
【０１０８】
物品の増加重量が８．５ｇである場合、ＢＭ把持値は、８．５／１０ｘ１００％＝８５％である。（この例では、スクレーパーのブレードは、０．５ｇ取り除いた。）
ＢＭ類似体７Ａは、次の：
フェクロン（Feclone）＃４＊              ４．１％（重量で）
フェクロン（Feclone）＃７＊              ４．１％（重量で）
蒸留水                                  ９０．７％（重量で）
ポリ（アクリルアミドコアクリル酸）＊＊    １．１％（重量で）を含む。  
＊シリクローンスタジオ社（SiliClone Studio）（１９４８１  米国ペンシルバニア州、Valley Forge-Doretta L.Erb-）から入手可能。  
＊＊コード００１１１ＴＦで、シグマ・アルドリッチ社（Sigma Aldrich）から入手可能。
【０１０９】
ＢＭ類似物７Ａは、次のように調製される：
自分の類似物を作成するのに必要とされるものより多い多量の蒸留水を、容器で１００℃まで加熱する。上記のフェクロン４及び７の適量を計量し、もう１つの容器に移動させて、十分に混合する。次に、ポリ（アクリルアミドコアクリル酸）ポリマーをその中に混合する。次に、水を他の成分と混合して、一様な混合物にする。
【０１１０】
（空気透過性）
空気透過性は、一定の圧力及び温度で標準量の空気が試験標本を通過する時間を測定することによって決定される。この試験は、本明細書において好ましいような、気体への相対的に高い透過性を有する材料、特に不織布材に特に適している。
【０１１１】
器械はテクステスト（TexTest）ＦＸ３３００を使用する。試験方法はＡＳＴＭ  Ｄ７３７に従う。試験は、典型的には約２２±２℃及び約３５％±１５％の相対湿度の実験環境で行われる。試験標本は少なくとも２時間調整されなくてはならない。試験圧は１２５パスカル、試験面積は３８ｃｍ２である。この試験では、器械は、空気を試料に通過させる、試料を横切る一定の差動圧力をつくる。試料を通過する空気流の速度は、フィート３／分／フィート２で測定され、ダーシーの法則により透過（ダーシー／ｍｍで）に変換される。  
Ｋ／ｄ（ダーシー／ｍｍ）＝（Ｖ＊μ）／（ｔ＊Ａ＊Δｐ）
式中、ｋは、試験標本の単位面積当たりの透過性であり；Ｖ／ｔはｃｍ３／秒の体積流量であり；μは空気の粘度であり（１．８６＊１０−５Ｐａ秒）；ｃはｃｍ２の試料の断面積であり；Δｐは、パスカル又はＰａの圧力差であり；１ダーシー＝９．８６９＊１０−９ｃｍ２である。
【０１１２】
各試料について３回繰り返し、平均した結果を記録する。  
試料に接触する水の面積は水柱の横断面積に等しく、それは２８ｃｍ２に等しい。
【０１１３】
（アルコール反発性（表面エネルギーの表示））
アルコール反発性は、１９９６年に公開され、ＩＮＤＡ社（２７５１３  米国ノースカロライナ州）から入手可能なＩＮＤＡ標準試験方法ＩＳＴ８０．６（９５）によって決定できる。
【０１１４】
この方法は、アルコールの又はアルコール／水の溶液の濡れ及び浸透に対する試料の抵抗力を測定するために使用される。
【０１１５】
ある布地のアルコール反発値は、布地に浸透しない試験溶液の最も高い数値と一致する。故に、本明細書において使用する時、７のアルコール反発性を有するトップシートは、アルコール７０％（無水エタノール）及び脱イオン水３０％の試験溶液は試料に浸透しないが、アルコール８０％及び水２０％の溶液は浸透するようなものである。
【０１１６】
アルコール１００％の溶液も、アルコール／水のいかなる溶液も試料に浸透しない、１０のアルコール反発性を有するトップシートが非常に好ましい。
【０１１７】
（最大孔径、平均孔径、及び孔径の分布）
本明細書で使用される時、最大孔径及び平均孔径は、ＡＳＴＭ方法、Ｆ３１６−８０の使用によって計算できる。このＡＳＴＭ方法において必要とされるコールター・ポロメーター（coulter porometer）としては、ＰＭＩ社から入手可能なポロメーター（porometer）が使用できる。
【０１１８】
（再湿潤値及び方法）
本発明の好ましい吸収性物品の第２トップシートの再湿潤値は、特定圧力でトップシートから乾燥したピックアップペーパーまで移動するＢＭ類似体４Ａの量を測定することによって決定でき、これは、次のように行われる。
【０１１９】
ＢＭ類似体４Ａは、次の：
フェクロン（Feclone）＃２＊            ３．８６％
フェクロン（Feclone）＃４＊            ３．８６％
ウルトラドーン（Ultra Dawn）＊＊        ０．６２％
蒸留水                                ９１．６６％を含む。  
＊シリクローンスタジオ社（SiliClone Studio）（１９４８１  米国ペンシルバニア州（Valley Forge-Doretta L.Erb-））から入手可能。  
＊＊プロクターアンドギャンブル社（The Procter&Gamble Company）によって米国で市販されている洗剤。
【０１２０】
ＢＭ類似体４Ａは、次のように調製される：
自分の類似体を作成するために必要とされるものより多い多量の蒸留水を、容器で９０℃まで加熱する。上記のファクロン２及び４の適量を計量し、もう１つの容器に移動させて、十分に混合する。次に、ウルトラドーン（Ultra Dawn）をその中に混合する。次に、水を他の成分と混合し、一様な混合物にする。
【０１２１】
次に、このＢＭ類似体４Ａ、１０ｇ＋／−０．２ｇを、ぺトリ皿に配置する。ＢＭ類似体、及びぺトリ皿の縁部が覆われるように、（再湿潤値が決定される予定の）一片のトップシートを、ぺトリ皿の上に配置する。トップシート材が、他の表面より毛羽立った１つの表面を有する場合、より毛羽立った表面を、ＢＭ類似体から離れて上向きに配置する。
【０１２２】
５層の乾燥したピックアップペーパー（１０ｃｍｘ１０ｃｍ；アールストローム（Ahlstrom）等級６３２又は等価のもの）を計量し、次に、トップシート材の上に配置する。
【０１２３】
次に、３．６ｋｇ（８ポンド）重の力が１０ｃｍｘ１０ｃｍの表面積に（すなわち、３．４ｋＰａ（０．５ｐｓｉ）、３５４３ｇ／１０ｃｍｘ１０ｃｍの表面積）３分間加えられる。
【０１２４】
次に、５層のピックアップペーパーを再度計量し、同ペーパーの重量差を計算する。重量の増加Ｘが、ピックアップペーパー上の又は同ペーパーにおける接着した又は吸収されたＢＭ類似体の重量である。次に、Ｘが最初の１０ｇのＢＭ類似体の何％であるかを計算することによって、再湿潤の割合が決定される。例えば、ピックアップペーパーの重量が、０．２ｇ増加した場合、Ｘは０．２ｇであり、トップシートの再湿潤の割合又は再湿潤値は：（０．２／１０）ｘ１００％＝２％の再湿潤である。
【０１２５】
（図面の好ましいおむつ）
次に、本発明の好ましいおむつが、図１を参照して説明される。  
図１は、見る人に向いた、着用者に接触するおむつの部分を有するおむつ２０の斜視図である。おむつ２０の１つの末端部分は、おむつ２０の第１腰部区域３６として構成されている。その反対側の末端部分は、おむつ２０の第２腰部区域３８として構成されている。おむつ２０の中間部分は、第１腰部区域３６と第２腰部区域３８との間に長手方向に伸びる股部区域３７として構成されている。腰部区域３６及び３８は、着用時に着用者の腰部を取り囲むおむつ２０の腰部部分をほぼ含む。腰部区域３６及び３８は、着用者の腰部の周囲で縮んで、改善された適合性及び収容性を提供できる要素、又は典型的には腰部の周囲で縮むことができ、またランディング領域２９に締着されるタブ２７などの締着手段を使用することによって腰部の周囲に締着できる要素を含む。股部区域３７は、おむつ２０を着用した時に、着用者の脚の間にほぼ位置するおむつ２０の部分である。
【０１２６】
おむつ２０は、第２トップシート２４、第１トップシート２３、液体不透過性バックシート２６、及び第１トップシート２３とバックシート２６との間に包まれた吸収性コア２８を含む。
【０１２７】
図２は、充分に拡張した状態における、図１のおむつ２０の平面図を示している。この手法においてスリット開口部３０は、第１トップシート２３がまだ見えて、故に、このトップシート２３が使用中の着用者と部分的に直接接触できるようなものであるが、使用中に直接的な接触が発生しないようにおむつ２０が当てられてもよい。
【０１２８】
図１及び図２において見られるように、第２トップシート２４は、糞便の排泄物を受けて、その排泄物の少なくとも一部分を着用者の皮膚から隔離するように構成された、おむつ２０の長手方向軸線ｘに沿ったスリット開口部３０を含む。図１では、トップシート２４は、Ｘ形を有する弾性バンド３１及び３２の供給によって部分的に伸縮性である。
【０１２９】
スリット開口部３０は、糞便の排泄物が同開口部を通って、第２トップシート２４と第１トップシート２３との間に形成された空間内へ通過するように、第２トップシート２４に位置している。空間は体の排泄物を取り込むか又は封入する。
【０１３０】
トップシート２４のスリット開口部３０は、使用中に着用者の肛門と位置が揃うように位置している。好ましくは、トップシート２４のスリット開口部３０は、おむつのターゲット領域に位置している。特に、非限定的な１実施形態では、トップシートを完全に伸ばした状態又は拡張した状態で測定する時、ターゲット領域はおむつの長手方向軸線ｘに沿って約５〜約３０ｃｍの長さ伸び、その長さの約４分の１はおむつ２０の横方向軸線ｙから、第１又は前側腰部区域３６に長手方向に伸び、残りの長さは第２又は後側腰部区域３８に長手方向に伸びることができる。一般に、スリット開口部３０の２０％〜３０％が、おむつ２０の横方向中心線の前方に位置してもよい．
トップシート２４のスリット開口部３０はほぼ、長手方向軸線ｘに沿ってターゲット領域に配置され、対向して長手方向に伸びる２つの側縁部４０、前側端部４１、及び後側端部４２により画定される。前側端部４１は、第１の前側区域３６に向かうおむつ２０の股部区域３７に、又は第１腰部区域３６自体にほぼ位置する一方、後側端部４２は、第２腰部区域３８近くの股部区域３７に、又は第２腰部区域３８自体に位置している。
【０１３１】
おむつ２０は好ましくは、フックアンドループ型の締着装置などの、少なくとも１つの係合構成要素（又は雄締着構成要素のファスナー）２７と、少なくとも１つのランディング領域２９（雌締着構成要素）とを典型的に含む締着装置も含む。
【０１３２】
トップシート２４は、スリット開口部３０の長手方向縁部４０の少なくとも一部分に沿った伸縮性区域３１及び３２を含む。弾性区域３１及び３２は、おむつ２０の開口部３０が配置され、正確に配置されたままであるのを確実にする。伸縮性区域３１、３２は、本明細書で説明する方法によって、スリット開口部３０の長手方向縁部４０に沿って予め拡張した弾性バンドを接着することにより形成されてもよい。
【０１３３】
図１及び図２に見られるように、物品が、六角形を有するスリット開口部を有することがより好ましいことがある。
【０１３４】
おむつ２０は、好ましくは、典型的にはバックシート２６に接合した、おむつ２０の両方の長手方向縁部上のレッグカフ８０も有する。好ましくは、レッグカフ８０の長手方向縁部、トップシート２４の長手方向縁部、及びバックシート２６の長手方向縁部は、細い長手方向取り付け縁部の形状で共に接合される。
【０１３５】
図３は、図２のおむつの横断面を示している。第１トップシート２３は、コア２８を覆い、第２トップシート２４によって部分的に覆われる。第２トップシート２４は、使用中に弾性体３１、３２と着用者の皮膚との間に直接の接触がないように好ましくは配置された弾性体３１、３２を含む。第１トップシート２３は、吸収性コア２８を完全に封じ込んでもよく、又は図３に見られるように、吸収性コア２８の上部だけを覆うウェブであってもよい。トップシート２３は、バックシート２６のみに、又は第２トップシート２４のみに、又はその両方に取り付けられてもよい。バックシート２６及び第２トップシート２４の結合は、第１トップシート２３、第２トップシート２４、及びバックシートを全て一緒に結合する１本の結合線であっても、又は例えば、１本が第１トップシート２３とバックシート２６を結びつけ、１本が第１トップシート２３と第２トップシート２４とを結びつける異なる結合線であってもよい（例えば、どちらの場合においても、典型的には第１トップシート２３及びバックシート２６及び／又は第２トップシート２４の周辺部辺りで）。
【０１３６】
図３は、開口部３０を通って受けたＢＭに対する追加的なバリア（防壁）を形成し、側面を通る、例えば、トップシート２３、２４及びバックシート２６が互いに接着される周辺領域を通る、おむつからのＢＭの漏れを低減する追加的なカフ層２５が存在する好ましい手法も示している。追加のカフ層は、第２トップシート２４の開口部３０の縁部４０辺りから、第２トップシート２４の周辺縁部に向かって伸び、典型的には、第２トップシート２４とバックシート２６の結合部から内向きに第１トップシート２３に結合されるように、及び／又は第１トップシート２３が第２トップシート２４及び／又はバックシート２６に結合される位置と別個の結合位置で、第１トップシート２３に結合されるように、典型的には第２トップシート２４にほぼ平行に伸びる。
【０１３７】
図３において、追加のカフ層２５は、伸張性であるので、この層２５は、第２トップシート２４と共に移動でき、例えば、おむつ２０におけるＢＭの引っ張り力により第２トップシート２４がより垂直になる場合、追加のカフ層２５もより垂直に移動できる。追加のカフ層２５は、例えば伸縮性、例えば弾性的伸縮性であってもよく；あるいは又は加えて、追加のカフ層２５は、第２トップシート２４又は第１トップシート２３に接合しない、必要時に、例えば追加のカフ層がより垂直な位置まで第１トップシート２４と共に移動する必要がある時に、開くことができる部分に折り目を有してもよい。
【０１３８】
好ましい手法では、追加のカフ層２５は、弾性体３１、３２を第１トップシート２３に配置するのに役立ち、追加のカフ層２５は、弾性体３１、３２がトップシート２４の内側に配置された後に、第１トップシート２３に接合される。
【０１３９】
第１トップシート２３は、図４Ａ及び図４Ｂから更に良好に理解できる。第１トップシート２３は、接着区域５１及び非接着区域５２を有する、繊維５３Ａ及び５３Ｂの好ましくはカードウェブである。接着区域５１は、平面形体を有する；換言すれば、接着区域の平面５５を形成する。繊維５３Ａは、接着区域５１によって形成された平面５５から上向きに伸びるループの形体であり，繊維５３Ｂは、前記平面５５から下向きに伸びるループの形体である。第１トップシートは、接着区域で終結しない繊維を含んでもよく、すなわち、その末端部分は非接着である。故に、末端部分は部分的なループの形であってもよいが、繊維の自由末端部分の長さ次第で、例えば方向において、平面からはずれる配向であってもよい。典型的には、繊維の末端部分の長さは、それが接着領域で終結しない時、繊維の全長の２５％まで、好ましくは２０％まで、又は更に１０％までである。
【０１４０】
接着区域５１は、好ましくは互いに交差する、好ましくはストリップの形体である。好ましくは、接着区域５１は、長手（ｘ）方向及び横断（ｙ）方向の双方向にあり；好ましくは、横断方向における平行なストリップ及び長手方向における平行なストリップの形体であってもよい。
【０１４１】
第１トップシート２３の好ましい特性及び機構は、上記で説明されている。非常に好ましいトップシートは、サンドラー社（Sandler）から商品名：ＶＰ３００１／１１−３２ｇｓｍで入手可能である。
【図面の簡単な説明】
【０１４２】
【図１】第１トップシート及び第２トップシートを有する、本発明の好ましい使い捨ておむつの斜視図。
【図２】本発明の好ましいおむつの平面図。
【図３】図２の本発明の好ましいおむつの横断面。
【図４ａ】本発明の好ましいおむつの、第１トップシートの断面図。
【図４ｂ】本発明の好ましいおむつの、第１トップシートの断面図。
【図１】
2006504498.tif 000003
【図２】
2006504498.tif 000004
【図３】
2006504498.tif 000005
2006504498.tif 000006
【国際調査報告】
2006504498.tif 000007
2006504498.tif 000008
2006504498.tif 000009
2006504498.tif 000010
2006504498.tif 000011